【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
アプリケーションプログラムにより生成された印刷用データを印刷するダイレクト印刷の可能な印刷装置であるか否か判定する第１の判定手段と、
前記第１の判定手段により前記印刷装置がダイレクト印刷の可能な印刷装置であると判定された場合、印刷設定データに、プリンタドライバの処理を必要とする設定が含まれているか否かを判定する第２の判定手段と、
前記第２の判定手段による判定の結果、前記プリンタドライバの処理を必要とする設定が含まれていないと判定された場合、前記印刷用データを前記印刷装置に直接に送信できる旨を前記アプリケーションプログラムに通知し、そうでない場合には、前記印刷用データを前記印刷装置に直接に送信できない旨を前記アプリケーションプログラムに通知する通知手段と
を備えることを特徴とする印刷制御装置。
【請求項２】
前記印刷設定データに含まれた前記プリンタドライバの処理を必要とする設定を無視するか否か判定する第３の判定手段を更に備え、
前記通知手段は、前記第２の判定手段による判定の結果、前記プリンタドライバの処理を必要とする設定が含まれていないと判定された場合、または、前記第３の判定手段による判定の結果、前記印刷設定データに含まれた前記プリンタドライバの処理を必要とする設定を無視すると判定された場合には、前記印刷用データを前記印刷装置に直接に送信できる旨を前記アプリケーションプログラムに通知し、そうでない場合には、前記印刷用データを前記印刷装置に直接に送信できない旨を前記アプリケーションプログラムに通知することを特徴とする請求項１に記載の印刷制御装置。
【請求項３】
前記アプリケーションプログラムに対して、前記通知手段により前記印刷装置に直接に送信できない旨を通知した場合に、前記印刷用データを前記アプリケーションプログラムから取得して、前記印刷設定データに含まれる印刷設定に従って前記印刷用データを加工する加工手段と、
前記印刷装置がダイレクト印刷の可能な印刷装置であれば、加工した前記印刷用データを前記印刷装置に送信し、ダイレクト印刷の可能な印刷装置でなければ、前記印刷装置が処理可能な形式に、加工した前記印刷用データを変換して変換済みの印刷用データを前記印刷装置に送信する送信手段と
を更に備えることを特徴とする請求項１または２に記載の印刷制御装置。
【請求項４】
前記アプリケーションプログラムは、前記通知手段により通知された通知内容に基づいて、前記印刷用データを前記印刷装置に直接に送信できる旨が通知された場合には、前記印刷用データをそのまま前記印刷装置に送信し、前記印刷用データを前記印刷装置に直接に送信できない旨が通知された場合には、前記加工手段に前記印刷用データを引き渡すことを特徴とする請求項３に記載の印刷制御装置。
【請求項５】
印刷設定データに、プリンタドライバの処理を必要とする設定が含まれているか否かを判定する設定判定手段と、
前記設定判定手段による判定の結果、前記プリンタドライバの処理を必要とする設定が含まれていないと判定された場合、アプリケーションプログラムにより生成された印刷用データを前記印刷装置に直接に送信できる旨を前記アプリケーションプログラムに通知し、そうでない場合には、前記印刷用データを前記印刷装置に直接に送信できない旨を前記アプリケーションプログラムに通知する通知手段と
を備えることを特徴とする印刷制御装置。
【請求項６】
アプリケーションプログラムにより生成された印刷用データを印刷するダイレクト印刷の可能な印刷装置であるか否か判定する第１の判定工程と、
前記第１の判定工程により前記印刷装置がダイレクト印刷の可能な印刷装置であると判定された場合、印刷設定データに、プリンタドライバの処理を必要とする設定が含まれているか否かを判定する第２の判定工程と、
前記第２の判定工程による判定の結果、前記プリンタドライバの処理を必要とする設定が含まれていないと判定された場合、前記印刷用データを前記印刷装置に直接に送信できる旨を前記アプリケーションプログラムに通知し、そうでない場合には、前記印刷用データを前記印刷装置に直接に送信できない旨を前記アプリケーションプログラムに通知する通知工程と
を有することを特徴とする印刷制御方法。
【請求項７】
印刷制御装置による印刷制御方法であって、
印刷設定データに、プリンタドライバの処理を必要とする設定が含まれているか否かを判定する設定判定工程と、
前記設定判定工程による判定の結果、前記プリンタドライバの処理を必要とする設定が含まれていないと判定された場合、アプリケーションプログラムにより生成された印刷用データを前記印刷装置に直接に送信できる旨を前記アプリケーションプログラムに通知し、そうでない場合には、前記印刷用データを前記印刷装置に直接に送信できない旨を前記アプリケーションプログラムに通知する通知工程と
を有することを特徴とする印刷制御方法。
【請求項８】
アプリケーションプログラムにより生成された印刷用データを印刷するダイレクト印刷の可能な印刷装置であるか否か判定する第１の判定手段と、
前記第１の判定手段により前記印刷装置がダイレクト印刷の可能な印刷装置であると判定された場合、印刷設定データに、プリンタドライバの処理を必要とする設定が含まれているか否かを判定する第２の判定手段と、
前記第２の判定手段による判定の結果、前記プリンタドライバの処理を必要とする設定が含まれていないと判定された場合、前記印刷用データを前記印刷装置に直接に送信できる旨を前記アプリケーションプログラムに通知し、そうでない場合には、前記印刷用データを前記印刷装置に直接に送信できない旨を前記アプリケーションプログラムに通知する通知手段と
してコンピュータを機能させるためのプログラム。
【請求項９】
印刷設定データに、プリンタドライバの処理を必要とする設定が含まれているか否かを判定する設定判定手段と、
前記設定判定手段による判定の結果、前記プリンタドライバの処理を必要とする設定が含まれていないと判定された場合、アプリケーションプログラムにより生成された印刷用データを前記印刷装置に直接に送信できる旨を前記アプリケーションプログラムに通知し、そうでない場合には、前記印刷用データを前記印刷装置に直接に送信できない旨を前記アプリケーションプログラムに通知する通知手段と
してコンピュータを機能させるためのプログラム。
【手続補正２】
【補正対象書類名】明細書
【補正対象項目名】０００９
【補正方法】変更
【補正の内容】
【０００９】
アプリケーションプログラムにより生成された印刷用データを印刷するダイレクト印刷の可能な印刷装置であるか否か判定する第１の判定手段と、
前記第１の判定手段により前記印刷装置がダイレクト印刷の可能な印刷装置であると判定された場合、印刷設定データに、プリンタドライバの処理を必要とする設定が含まれているか否かを判定する第２の判定手段と、
前記第２の判定手段による判定の結果、前記プリンタドライバの処理を必要とする設定が含まれていないと判定された場合、前記印刷用データを前記印刷装置に直接に送信できる旨を前記アプリケーションプログラムに通知し、そうでない場合には、前記印刷用データを前記印刷装置に直接に送信できない旨を前記アプリケーションプログラムに通知する通知手段とを備える。
【手続補正３】
【補正対象書類名】明細書
【補正対象項目名】００１０
【補正方法】変更
【補正の内容】
【００１０】
また他の観点によれば、本発明は、印刷設定データに、プリンタドライバの処理を必要とする設定が含まれているか否かを判定する設定判定手段と、
前記設定判定手段による判定の結果、前記プリンタドライバの処理を必要とする設定が含まれていないと判定された場合、アプリケーションプログラムにより生成された印刷用データを前記印刷装置に直接に送信できる旨を前記アプリケーションプログラムに通知し、そうでない場合には、前記印刷用データを前記印刷装置に直接に送信できない旨を前記アプリケーションプログラムに通知する通知手段とを備える。